(57)【要約】【課題】使用者がキャラクタと自由に擬似的な会話することができ、使用者の興趣を高める。【解決手段】本発明の擬似会話システム１は、クライアント端末２から入力された文章の中から所定のキーワードを抽出するためのキーワード抽出手段８と、前記キーワードに対応するキャラクタの回答を格納する回答データベース６と、キーワード抽出手段８により抽出されたキーワードに対応するキャラクタの回答を回答データベース６から検索し、クライアント端末２に配信する回答制御手段９とを備えていることを特徴とする。【選択図】図１
2007323551.tif 000002
【特許請求の範囲】
【請求項１】
クライアント端末とコンテンツサーバとが通信ネットワークを介して相互に接続された環境下において、クライアント端末から使用者が入力した文章に対してコンテンツサーバが回答することにより、使用者とキャラクタとの間で擬似的に会話を行うための擬似会話システムであって、
前記クライアント端末から入力された文章の中から所定のキーワードを抽出するためのキーワード抽出手段と、
前記キーワードに対応するキャラクタの回答を格納する回答データベースと、
前記キーワード抽出手段により抽出されたキーワードに対応するキャラクタの回答を前記回答データベースから検索し、前記クライアント端末に配信する回答制御手段と、
を備えていることを特徴とする擬似会話システム。
【請求項２】
前記回答データベースは、一般的な話題に関連する回答を格納する汎用回答データベースと、特定の話題に関連する回答をそれぞれの話題別に格納する特別回答データベースとを備えており、前記キーワード抽出手段が、前記クライアント端末から入力された文章の中から所定のキーワードを抽出できなかった場合、或いは、前記クライアント端末から入力された文章の中から特定のキーワードを抽出した場合、前記回答制御手段は、話題を変えるメッセージを含む回答を前記クライアント端末に配信すると共に、キャラクタの回答を検索する回答データベースを汎用回答データベースから特別回答データベースにシフトする請求項１に記載の擬似会話システム。
【請求項３】
前記キーワード抽出手段が前記クライアント端末から入力された文章の中から所定のキーワードを複数回連続して抽出できなかった場合、前記回答制御手段は、キャラクタの回答を検索する回答データベースを特別回答データベースから汎用回答データベースにシフトする請求項２に記載の擬似会話システム。
【請求項４】
前記回答データベースは、キャラクタ別にそれぞれのキャラクタ専用の回答を格納する回答データベースを備えており、前記回答制御手段は、前記キーワード抽出手段が前記クライアント端末から入力された文章の中から特定のキーワードを抽出した場合、他のキャラクタを紹介するメッセージを含む回答を前記クライアント端末に配信し、前記特定のキーワードを入力したクライアント端末から選択できるキャラクタの回答データベースに、前記他のキャラクタ専用の回答データベースを追加する請求項１〜３のいずれか１の請求項に記載の擬似会話システム。
【請求項５】
前記回答制御手段は、前記キーワード抽出手段が前記クライアント端末から入力された文章の中から特定のキーワードを抽出した場合、広告に誘導するメッセージを含む回答を前記クライアント端末に配信し、前記特定のキーワードを入力したクライアント端末からの選択に応じて、該クライアント端末に広告ページを配信する請求項１〜４のいずれか１の請求項に記載の擬似会話システム。
【請求項６】
クライアント端末とコンテンツサーバとが通信ネットワークを介して相互に接続された環境下において、クライアント端末から使用者が入力した文章に対してコンテンツサーバが回答することにより、使用者とキャラクタとの間で擬似的に会話を行うための擬似会話プログラムであって、
キーワード抽出手段が前記クライアント端末から入力された文章の中から所定のキーワードを抽出するステップと、
回答制御手段が、前記キーワード抽出手段により抽出されたキーワードに対応するキャラクタの回答を前記回答データベースから検索し、前記クライアント端末に配信するステップと、
をコンピュータに実行させることを特徴とする擬似会話プログラム。
【請求項７】
前記キーワード抽出手段が、前記クライアント端末から入力された文章の中から所定のキーワードを抽出できなかった場合、或いは、前記クライアント端末から入力された文章の中から特定のキーワードを抽出した場合、前記回答制御手段は、話題を変えるメッセージを含む回答を前記クライアント端末に配信すると共に、キャラクタの回答を検索する回答データベースを、一般的な話題に関連する回答を格納する汎用回答データベースから特定の話題に関連する回答をそれぞれの話題別に格納する特別回答データベースにシフトするステップをコンピュータに実行させる請求項６に記載の擬似会話プログラム。
【請求項８】
前記キーワード抽出手段が前記クライアント端末から入力された文章の中から所定のキーワードを複数回連続して抽出できなかった場合、前記回答制御手段は、キャラクタの回答を検索する回答データベースを特別回答データベースから汎用回答データベースにシフトするステップをコンピュータに実行させる請求項７に記載の擬似会話プログラム。
【請求項９】
前記回答制御手段は、前記キーワード抽出手段が前記クライアント端末から入力された文章の中から特定のキーワードを抽出した場合、他のキャラクタを紹介するメッセージを含む回答を前記クライアント端末に配信し、前記特定のキーワードを入力したクライアント端末から選択できるキャラクタの回答データベースに、前記他のキャラクタ専用の回答データベースを追加するステップをコンピュータに実行させる請求項６〜８のいずれか１の請求項に記載の擬似会話プログラム。
【請求項１０】
前記回答制御手段は、前記キーワード抽出手段が前記クライアント端末から入力された文章の中から特定のキーワードを抽出した場合、広告に誘導するメッセージを含む回答を前記クライアント端末に配信し、前記特定のキーワードを入力したクライアント端末からの選択に応じて、該クライアント端末に広告ページを配信するステップをコンピュータに実行させる請求項６〜９のいずれか１の請求項に記載の擬似会話プログラム。
【発明の詳細な説明】
【技術分野】
【０００１】
本発明は、クライアント端末から使用者が入力した文章に対してコンテンツサーバが回答することにより、使用者とキャラクタとの間で擬似的に会話を行うための擬似会話システム及びそのプログラムに関する。
【背景技術】
【０００２】
近年、インターネット等の通信ネットワークの発展に伴い、クライアント端末とコンテンツサーバとが通信ネットワークを介して相互に接続された環境下において、クライアント端末の使用者とコンテンツサーバのキャラクタとの間で擬似的に会話を行うための技術が開発されている。
【０００３】
従来のこの種の技術は、例えば、クライアント端末側に表示された発言の選択肢の中からユーザが所望の発言を選択すると、該選択した発言に対応するキャラクタの回答がコンテンツサーバからクライアント端末に配信されることにより、使用者とキャラクタとの間で擬似的な会話が進行するようになっている（出願人は、公知・公用の従来技術に基づき発明したため、本発明に関連する先行技術文献を知らない）。
【発明の開示】
【発明が解決しようとする課題】
【０００４】
しかしながら、上記した従来の技術では、使用者は選択肢として表示されている発言しか選択することができないため、会話に一定のパターンが生じてしまい、使用者がキャラクタと実際に会話を行っている感触を十分に得ることができないといった問題があった。
【０００５】
本発明は、上記した課題を解決すべくなされたものであり、使用者がキャラクタと自由に擬似的な会話することができ、使用者の興趣を高めることのできる擬似会話システム及びそのプログラムを提供することを目的とするものである。
【課題を解決するための手段】
【０００６】
上記した目的を達成するため、本発明は、クライアント端末とコンテンツサーバとが通信ネットワークを介して相互に接続された環境下において、クライアント端末から使用者が入力した文章に対してコンテンツサーバが回答することにより、使用者とキャラクタとの間で擬似的に会話を行うための擬似会話システムであって、前記クライアント端末から入力された文章の中から所定のキーワードを抽出するためのキーワード抽出手段と、前記キーワードに対応するキャラクタの回答を格納する回答データベースと、前記キーワード抽出手段により抽出されたキーワードに対応するキャラクタの回答を前記回答データベースから検索し、前記クライアント端末に配信する回答制御手段とを備えていることを特徴とする。
【０００７】
そして、本発明に係る擬似会話システムにおいて、前記回答データベースは、一般的な話題に関連する回答を格納する汎用回答データベースと、特定の話題に関連する回答をそれぞれの話題別に格納する特別回答データベースとを備えており、前記キーワード抽出手段が、前記クライアント端末から入力された文章の中から所定のキーワードを抽出できなかった場合、或いは、前記クライアント端末から入力された文章の中から特定のキーワードを抽出した場合、前記回答制御手段は、話題を変えるメッセージを含む回答を前記クライアント端末に配信すると共に、キャラクタの回答を検索する回答データベースを汎用回答データベースから特別回答データベースにシフトしてもよい。
【０００８】
また、本発明に係る擬似会話システムにおいて、前記キーワード抽出手段が前記クライアント端末から入力された文章の中から所定のキーワードを複数回連続して抽出できなかった場合、前記回答制御手段は、キャラクタの回答を検索する回答データベースを特別回答データベースから汎用回答データベースにシフトしてもよい。
【０００９】
さらに、前記回答データベースは、キャラクタ別にそれぞれのキャラクタ専用の回答を格納する回答データベースを備えており、前記回答制御手段は、前記キーワード抽出手段が前記クライアント端末から入力された文章の中から特定のキーワードを抽出した場合、他のキャラクタを紹介するメッセージを含む回答を前記クライアント端末に配信し、前記特定のキーワードを入力したクライアント端末から選択できるキャラクタの回答データベースに、前記他のキャラクタ専用の回答データベースを追加してもよい。
【００１０】
さらにまた、本発明に係る擬似会話システムにおいて、前記回答制御手段は、前記キーワード抽出手段が前記クライアント端末から入力された文章の中から特定のキーワードを抽出した場合、広告に誘導するメッセージを含む回答を前記クライアント端末に配信し、前記特定のキーワードを入力したクライアント端末からの選択に応じて、該クライアント端末に広告ページを配信してもよい。
【００１１】
また、本発明は、クライアント端末とコンテンツサーバとが通信ネットワークを介して相互に接続された環境下において、クライアント端末から使用者が入力した文章に対してコンテンツサーバが回答することにより、使用者とキャラクタとの間で擬似的に会話を行うための擬似会話プログラムであって、キーワード抽出手段が前記クライアント端末から入力された文章の中から所定のキーワードを抽出するステップと、回答制御手段が、前記キーワード抽出手段により抽出されたキーワードに対応するキャラクタの回答を前記回答データベースから検索し、前記クライアント端末に配信するステップとをコンピュータに実行させることを特徴とする。
【００１２】
そして、本発明に係る擬似会話プログラムにおいて、前記キーワード抽出手段が、前記クライアント端末から入力された文章の中から所定のキーワードを抽出できなかった場合、或いは、前記クライアント端末から入力された文章の中から特定のキーワードを抽出した場合、前記回答制御手段は、話題を変えるメッセージを含む回答を前記クライアント端末に配信すると共に、キャラクタの回答を検索する回答データベースを、一般的な話題に関連する回答を格納する汎用回答データベースから特定の話題に関連する回答をそれぞれの話題別に格納する特別回答データベースにシフトするステップをコンピュータに実行させてもよい。
【００１３】
また、本発明に係る擬似会話プログラムにおいて、前記キーワード抽出手段が前記クライアント端末から入力された文章の中から所定のキーワードを複数回連続して抽出できなかった場合、前記回答制御手段は、キャラクタの回答を検索する回答データベースを特別回答データベースから汎用回答データベースにシフトするステップをコンピュータに実行させてもよい。
【００１４】
さらに、本発明に係る擬似会話プログラムにおいて、前記回答制御手段は、前記キーワード抽出手段が前記クライアント端末から入力された文章の中から特定のキーワードを抽出した場合、他のキャラクタを紹介するメッセージを含む回答を前記クライアント端末に配信し、前記特定のキーワードを入力したクライアント端末から選択できるキャラクタの回答データベースに、前記他のキャラクタ専用の回答データベースを追加するステップをコンピュータに実行させてもよい。
【００１５】
さらにまた、本発明に係る擬似会話プログラムにおいて、前記回答制御手段は、前記キーワード抽出手段が前記クライアント端末から入力された文章の中から特定のキーワードを抽出した場合、広告に誘導するメッセージを含む回答を前記クライアント端末に配信し、前記特定のキーワードを入力したクライアント端末からの選択に応じて、該クライアント端末に広告ページを配信するステップをコンピュータに実行させてもよい。
【発明の効果】
【００１６】
本発明によれば、使用者がクライアント端末から自由に入力した文章中に含まれるキーワードに対応して様々なパターンのキャラクタの回答がコンテンツサーバから配信されるようになっているため、使用者とキャラクタとの間において多種多様なパターンの会話を提供することができ、使用者はキャラクタとあたかも実際に会話を行っているかのような感触を得ることができ、使用者の興趣の向上を図ることができる。
【発明を実施するための最良の形態】
【００１７】
以下、図面を参照しつつ、本発明の実施の形態について説明する。
【００１８】
先ず、図１及び図２を参照しつつ、本発明の実施の形態に係る擬似会話システムの構成について説明する。ここで、図１は本発明の実施の形態に係る擬似会話システムの全体構成を示す概略図、図２は同擬似会話システムの回答データベース群においてキーワードに対応して格納されている回答を示す図である。
【００１９】
本実施の形態に係る擬似会話システム１は、携帯電話等のクライアント端末２とコンテンツサーバ３とがインターネット４を介して相互に接続されて構成されており、コンテンツサーバ３には、会員データを格納するための会員データベース５と各キャラクタの回答を格納するための回答データベース群６とがそれぞれ接続されている。
【００２０】
コンテンツサーバ３は、使用者の会員登録や認証を行うための会員登録・認証部７と、クライアント端末２から入力された文章の中から所定のキーワードを抽出するためのキーワード抽出部８と、キーワード抽出部８により抽出されたキーワードに対応するキャラクタの回答をデータベース群６から検索し、クライアント端末２に配信する回答制御部９とを備えて構成されている。
【００２１】
また、会員データベース５には、クライアント端末２から登録された会員の携帯メールアドレス、パスワード、ニックネーム、性別、年齢等の個人情報の他、各会員のログイン回数、アクセス日時、過去の文章入力内容、選択可能なキャラクタのフラグの有無に関する情報等の履歴情報が、前記各会員の個人情報に関連付けて格納されている。
【００２２】
データベース群６は、例えば「ミナ」や「ぽー」といったキャラクタ別に、それぞれ、一般的な話題に関連する回答を前記キーワードに対応して格納するミナ用汎用回答データベース６ａ及びぽー用汎用回答データベース６ｂと、特定の話題に関連する回答をそれぞれの話題（例えば、お菓子、アニメ等）別に前記キーワードに対応して格納する特別回答データベース６ａａ，６ａｂ、６ｂａ，６ｂｂとを備えて構成されている。具体的には、図２に示されているように、例えば、前記キーワードが「こんにちは」の場合、ミナ用汎用回答データベース６ａには、「どーもーこんにちはですー」、「こんにちは。いらっしゃい」、「はーいミナでーす」といった回答が格納されており、ぽー用汎用回答データベース６ｂには、「ごきげんよう」、「ようこそいらっしゃいませ」、「ぽーっていいます」といった回答が格納されている。
【００２３】
次に、図面を参照しつつ、本発明の実施の形態に係る擬似会話システムの作用について説明する。
【００２４】
先ず、図３を参照しつつ、新規使用者が会員登録する時の作用について説明する。ここで、図３は本実施の形態に係る擬似会話システムにおいて新規使用者が会員登録する時の処理手順を示すフローチャートである。
【００２５】
新規使用者がクライアント端末２から本システムにより運営されているサイト（この場合のサイト名称を、例えば、「倶楽部エンジェル」とする。）のコンテンツにアクセスしようとすると、先ず、ログインのトップページ１１がクライアント端末２に表示される（Ｓ１０１）。新規使用者は、このトップページ１１から、本サイトのサービス内容等を知るため、「倶楽部エンジェルって？」と表示されている部分を選択すると、クライアント端末２に、本サイトの説明文のページ１２が表示される（Ｓ１０２）。
【００２６】
次いで、前記新規使用者が、この本サイトの説明文のページ１２において、「戻る」を選択し、トップページ１１に戻り、「会員登録をする」を選択すると、クライアント端末２には、会員登録ページ１３が表示される（Ｓ１０３）。この会員登録ページ１３には、携帯メールアドレス、パスワード（図示では、「pass」と表示されている。）、ニックネームを入力するためのボックス１４や、性別を入力するためのチェックボックス１５、及び年齢を入力するためのプルダウンメニュー１６等、登録を希望する新規使用者の個人情報を入力するためのフォーム画面が表示される。そこで、このフォーム画面に沿って、前記新規使用者が個人情報を入力し、「登録」を選択すると、クライアント端末２には、前記新規使用者に入力した個人情報を確認させるための確認画面１７が表示され（Ｓ１０４）、さらに、この確認画面１７において「確認」を選択すると、前記新規使用者の個人情報は会員登録情報として会員データベース５に格納されると共に、クライアント端末２には前記新規使用者の会員登録が完了したことを通知する登録完了画面１８が表示される（Ｓ１０５）。
【００２７】
このように会員となった前記使用者がこの登録完了画面１８において「ログイン」を選択した場合、或いは、既に登録された会員がトップページ１１において「ログイン」を選択した場合、クライアント端末２には、ログインページ１９が表示される（Ｓ１０６）。そして、このログインページ１９において、会員が携帯メールアドレス及びパスワードを入力し、「送信」を選択すると、会員登録・認証部７により前記新規使用者の認証作業が行われ、無事認証ができた場合には、前記サイトのコンテンツへのアクセスが許可されると共に、会員データベース５には、前記会員の個人情報に関連付けてログイン回数やアクセス日時等の履歴情報が格納される。
【００２８】
次に、図４を参照しつつ、会員が本実施の形態に係る擬似会話システムを使用する時の作用について説明する。ここで、図４は本実施の形態に係る擬似会話システムを会員が使用する時の処理手順を示すフローチャートである。
【００２９】
上記したように、図３に示す手順により、前記サイトのコンテンツへのアクセスを許可された会員のクライアント端末２には、コンテンツのトップ画面２１が表示される（Ｓ２０１）。この時、コンテンツのトップ画面２１には、支配人のキャラクタが登場し、会員データベース５に前記会員の過去のアクセス日時が格納されていない場合（すなわち、この会員が初めてアクセスした場合）には、コンテンツサーバ３により、例えば「初めてのお客様ですね。ご案内いたします。」といったメッセージが表示される。また、会員データベース５に会員の過去のアクセス日時が格納されていると共に選択可能なキャラクタのフラグが無い場合には、この会員のクライアント端末２には、コンテンツサーバ３により、例えば「いらっしゃいませ。ミナさんがお待ちですよ。どうぞ。」といったメッセージが表示される。そして、いずれの場合にも、前記会員のクライアント端末２には、その後、ミナの画面２２が表示される（Ｓ２０２）。
【００３０】
一方、会員データベース５に会員の過去のアクセス日時が格納されていると共に選択可能なキャラクタのフラグが有る場合には、この会員のクライアント端末２には、コンテンツサーバ３により、例えば「いらっしゃいませ。ミナさんとぽーさんのどちらになさいますか？」といったメッセージが表示され、会員にキャラクタの選択を促し（Ｓ２０１）、会員の選択に応じて、その後、ミナの画面２２又はぽーの画面が会員のクライアント端末２に表示される。
【００３１】
そして、このようにして会員のクライアント端末２にミナの画面２２が表示され、会員データベース５に前記会員の過去のアクセス日時が格納されていない場合には、前記会員のクライアント端末２には、「はじめましてミナです。」といったメッセージが表示される。また、会員データベース５に格納されている前記会員の過去の最終アクセス日時が４２時間以内の場合には、「また来てくれたのね。ミナうれしい！」といったメッセージが表示され、さらに、会員データベース５に格納されている前記会員の過去の最終アクセス日時が４２時間以上経過している場合には、「お久しぶり。ミナ待っていたよ。」といったメッセージが表示される（Ｓ２０２）。
【００３２】
これに対して、前記会員が、例えば「ミナさん。こんにちは。」という文章をクライアント端末２から入力した場合、キーワード抽出部８は、この文章の中から「こんにちは」というキーワードを抽出し、回答制御部９は、このキーワードに対応するキャラクタの回答をミナ用汎用回答データベース６ａから検索する（Ｓ２０３）。この場合、図２に示されているように、「こんにちは」というキーワードに対応する回答として、ミナ用汎用回答データベース６ａには、「どーもーこんにちはですー」、「こんにちは。いらっしゃい」、「はーいミナでーす」の３個の回答が格納されているため、キーワード抽出部は、それぞれ１／３ずつの確率の乱数により任意に回答を抽出する。
【００３３】
このようにクライアント端末２から会員が入力した文章に対してコンテンツサーバ３が回答することにより、会員とキャラクタとの間で擬似的に会話が行われている間において、キーワード抽出部８が、クライアント端末２から入力された文章の中から所定のキーワードを抽出できなかった場合、回答制御部９は、例えば、「そのお話あまりのらないな。」といった話題を変えるメッセージを含む回答をクライアント端末２に配信すると共に、ミナの回答を検索する回答データベースをミナ用汎用データベース６ａからミナ用特別回答データベース６ａａにシフトする（Ｓ２０４）。この場合、どの話題のミナ用特別回答データベース６ａａ，６ａｂにシフトするかは、ミナ用特別回答データベース６ａａ，６ａｂの数をｎ個とすると、それぞれ１／ｎずつの確率の乱数により、コンテンツサーバ３が決定する。
【００３４】
また、前記会員とキャラクタとの間で擬似的に会話が行われている中で、例えば「オススメ」というキーワードが予めコンテンツサーバ３に特定のキーワードとして設定されている状態において前記会員がクライアント端末２から「今日のオススメは？」といった文書を入力した場合等、前記会員がクライアント端末２から入力した文章の中からキーワード抽出部８が特定のキーワードを抽出した場合には、回答制御部９は、例えば、図５に示すように、「今日のオススメはこちらです！」といった広告に誘導するメッセージを含む回答をクライアント端末２に配信する。そして、これに対して、前記会員がクライアント端末２から「ＯＫ」を選択すると、回答制御部９は、例えば、図６に示されているように、「私が最近気になるのはこの会社、メームスタジオって言います。お問い合わせはこちらまで。」といった広告ページを配信する（Ｓ２０５）。
【００３５】
また、上記したようにミナ用特別回答データベース６ａａ，６ａｂにシフトした状態で、キーワード抽出部８が、前記会員が入力した文章の中から所定のキーワードを複数回連続して抽出できなかった場合、回答制御部９は、ミナの回答を検索する回答データベースを再度、ミナ用汎用回答データベース６ａにシフトする（Ｓ２０６）。
【００３６】
そして、前記会員がクライアント端末２から、例えば「バイバイ」、「さようなら」、「おやすみ」、「帰る」というように予めコンテンツサーバ３に登録された特定のキーワードを入力した場合、回答制御部９は、例えば「また来てね。」といった予めコンテンツサーバ３に登録された回答を配信し、クライアント端末２とコンテンツサーバ３との間における擬似的な会話は終了され（Ｓ２０７）、強制的にコンテンツのトップ画面２１にリンクされる（Ｓ２０８）。
【００３７】
また、図７に示されているように、前記会員のクライアント端末２にミナの画面２２が表示されている時に（Ｓ３０１）、例えば「コスプレ」というキーワードが予めコンテンツサーバ３に特定のキーワードとして設定されている状態において前記会員がクライアント端末２から「コスプレは好き？」といった文書を入力した場合等、前記会員がクライアント端末２から入力した文章の中からキーワード抽出部８が特定のキーワードを抽出した場合には、回答制御部９は、例えば「このお店ならぽーちゃんがコスプレ似合うよ。」というように、他のキャラクタ、例えば「ぽー」を紹介するメッセージを含む回答をクライアント端末２に配信すると共に、他のキャラクタ（この場合は「ぽー」）のフラグが会員データベース５に登録される（Ｓ３０２）。
【００３８】
これにより、前記会員がクライアント端末２から選択可能なキャラクタの回答データベースに、他のキャラクタ専用の回答データベース（この場合は、ぽー用汎用回答データベース６ｂ）が追加される。すなわち、既に図４のステップ２０１において説明したように、その後、前記会員がコンテンツのトップ画面２１にアクセスした時には、この会員のクライアント端末２には、ミナとぽーのいずれかのキャラクタを選択するためのメッセージが、例えば「いらっしゃいませ。ミナさんとぽーさんのどちらになさいますか？」というように表示されるようになる。そして、前記会員が、キャラクタとして「ぽー」を選択した場合には（Ｓ３０３）、そのクライアント端末２には、ぽーの画面２３が表示され、回答制御部８がぽー汎用回答データベース６ｂから回答を検索して（Ｓ３０４）、前記会員とぽーとの間で擬似的に会話が進行される。
【００３９】
このように、上記した実施の形態に係る擬似会話システムによれば、会員がクライアント端末２から自由に入力した文章中に含まれるキーワードに対応して、様々なパターンのキャラクタの回答がコンテンツサーバ２から配信されるため、会員とキャラクタとの間の会話がパターン化されることがなく、会員はキャラクタとあたかも実際に会話を行っているかのような感触を得ることができる。
【００４０】
また、回答データベースが、キャラクタ別や話題別に複数用意されており、会員とキャラクタとの間の会話に従って回答データベースがシフトされるようになっているため、様々な会話パターンや会話内容を会員に提供することができ、会員の興趣の向上を図ることができる。
【００４１】
さらに、インターネットを利用することにより、回答データベースの内容の変更や更新を容易に行うことができ、会話パターンを容易且つ飛躍的に増加させることができる。また、検索エンジンとプログラムの互換性を図ったり、ＲＳＳ（Rich Site summary，Really Simple
Syndication，RDF Site Summary）等を利用して天気やニュース等の情報をリアルタイムで取得したりすることにより、会話中に会員が取得したい情報を迅速に提供することができる。さらに、会員とキャラクタとの間の会話中に、嗜好性の強いキーワード等を抽出することにより、企業等の広告宣伝サイトに自然に誘導することができるため、広告宣伝効果を高めることが可能となる。
【００４２】
なお、上記した実施の形態においては、会員とキャラクタの擬似的な会話を通じて、会員を企業等の広告宣伝サイトに誘導するようにしているが、これは単なる例示に過ぎず、例えば、両者の擬似的な会話と通じて、会員が取得したい情報を検索できるように構成したりする等、各種変更が可能である。
【００４３】
また、上記実施の形態では、キーワード抽出部８が、クライアント端末２から入力された文章の中から所定のキーワードを抽出できなかった場合に、回答データベースが特別回答データベースにシフトされるようになっているが、キーワード抽出部８が、クライアント端末２から入力された文章の中から特定のキーワードを抽出した場合に、回答データベースが特別回答データベースにシフトされるようにしてもよい。
【００４４】
さらに、上記実施の形態では、通信ネットワークとしてインターネットを利用した場合について説明したが、これは単なる例示に過ぎず、本発明は、専用通信回線等、他の情報通信ネットワークを利用した環境下においても実施可能であることは言う迄もない。
【図面の簡単な説明】
【００４５】
【図１】本発明の実施の形態に係る擬似会話システムの全体構成を示す概略図である。
【図２】本発明の実施の形態に係る擬似会話システムの回答データベース群においてキーワードに対応して格納されている回答を示す図である。
【図３】本発明の実施の形態に係る擬似会話システムにおいて新規使用者が会員登録する時の処理手順を示すフローチャートである。
【図４】本発明の実施の形態に係る擬似会話システムを会員が使用する時の処理手順を示すフローチャートである。
【図５】本発明の実施の形態に係る擬似会話システムにおいてクライアント端末に広告に誘導するメッセージが表示されている状態を示す図である。
【図６】本発明の実施の形態に係る擬似会話システムにおいてクライアント端末に広告に誘導するメッセージが表示されている状態を示す図である。
【図７】本発明の実施の形態に係る擬似会話システムにおいて回答データベースに他のキャラクタ専用の回答データベースを追加する時の処理手順を示すフローチャートである。
【符号の説明】
【００４６】
１          擬似会話システム
２          クライアント端末
３          コンテンツサーバ
４          インターネット
６          回答データベース群
６ａ    ミナ用汎用回答データベース
６ａａ  ミナ用特別回答データベース
６ａｂ  ミナ用特別回答データベース
６ｂ    ぽー用汎用回答データベース
６ｂａ  ぽー用特別回答データベース
６ｂｂ  ぽー用特別回答データベース
８          キーワード抽出部
９          回答制御部
【図１】
2007323551.tif 000003
【図２】
2007323551.tif 000004
【図３】
2007323551.tif 000005
【図４】
2007323551.tif 000006
【図５】
2007323551.tif 000007
【図６】
2007323551.tif 000008
【図７】
2007323551.tif 000009